(57)【要約】本発明の昇降装置は、プラットフォームに設けられ、駆動装置の駆動で予定軌跡に沿って運動する少なくとも一つの第一磁性体と、前記第一磁性体の部分軌跡の上方に設けられ、前記第一磁性体の磁性と排斥される少なくとも一つの第二磁性体と、支持装置に設けられて前記第二磁性体を連結する昇降手段と、を備え、第二磁性体は前記第一磁性体が設定された速度で循環的に第二磁性体を通過したり離れたりすることによって、垂直に循環的な昇降運動をし、さらに前記昇降手段を昇降したり揺動したりするようにする。本発明の昇降装置は自然界に存在する磁気エネルギを利用して物を挙げ、構造が簡単で、適用範囲が広く、エネルギーの節約及び環境を保護することができる。本発明はまたこの昇降装置を具備した発電装置及び海水逆浸透装置を提供する。【選択図】図２０
2010515409.tif 000002
【特許請求の範囲】
【請求項１】
プラットフォームに設けられ、駆動装置の駆動で予定軌跡に沿って運動する少なくとも一つの第一磁性体と、
前記第一磁性体の部分軌跡の上方に設けられ、前記第一磁性体の磁性と排斥される少なくとも一つの第二磁性体と、
支持装置に設けられて前記第二磁性体を連結する昇降手段と、を備えて、
前記第一磁性体は設定された速度で循環的に第二磁性体を通過したり離れたりすることによって、前記第二磁性体は垂直に循環的な昇降運動をし、さらに前記昇降手段は昇降したり揺動したりするようにすることを特徴とする昇降装置。
【請求項２】
前記プラットフォームは軸を廻って回転可能な回転プラットフォームであり、前記駆動装置はこの回転プラットフォームに連結されてこの回転プラットフォームの回転を駆動し、前記第一磁性体はこの回転プラットフォームに固定されてこの回転プラットフォームの回転によって回転することを特徴とする請求項１に記載の昇降装置。
【請求項３】
このプラットフォームは固定設置した支持プラットフォームであり、前記駆動装置は前記第一磁性体に連結されて前記第一磁性体がこの支持プラットフォームでの運動を駆動することを特徴とする請求項１に記載の昇降装置。
【請求項４】
前記昇降手段はバーセットであり、このバーセットはクロスバー及び垂直にクロスバーの下方に設けられる垂直バーを備え、
前記支持ブラケットの先部には孔が設けられ、前記孔の直径は前記垂直バーより少し大きく、前記クロスバーの長手より小さくて、前記垂直バーは前記孔に貫通されて上下に運動することができ、
前記クロスバーの両端下部には緩衝スプリングが設けられて緩衝バーセットが重力の作用で降下する時、前記クロスバーの前記支持ブラケットに対する衝突を緩衝することを特徴とする請求項１に記載の昇降装置。
【請求項５】
前記昇降手段は複滑車であり、この複滑車は若干の定滑車及び前記定滑車を回る縄を備え、前記縄の一端は第二磁性体に固定されて他の端は昇降ブラケットに連結されることを特徴とする請求項１に記載の昇降装置。
【請求項６】
前記昇降手段は液圧昇降手段であり、この液圧昇降手段は液体貯蔵室、シリンダー、前記シリンダーの中に設けられるピストン、伸縮筒、及び前記液体貯蔵室と前記シリンダーと前記伸縮筒とを連結する液体ガイド管と逆止弁を備えて、前記伸縮筒の上端部には昇降ブラケットが固定され、前記第二磁性体は前記ピストンに連結されることを特徴とする請求項１に記載の昇降装置。
【請求項７】
前記昇降手段は少なくとも一組の磁性支点を具備した揺動部材と磁性サポートを具備したベアリングサポートを備えて、前記磁性サポートの形状、位置は前記磁性支点と対応され、前記磁性支点と前記磁性サポートは磁性が排斥されて前記揺動部材が前記ベアリングサポートの上に掛かることを確保し、前記第二磁性体は前記揺動部材の端部下方に設けることを特徴とする請求項１に記載の昇降装置。
【請求項８】
前記揺動部材はレバー及びレバーに固定される安定ブラケットを備えることを特徴とする請求項７に記載の昇降装置。
【請求項９】
前記揺動部材は皿式安定ブラケット及びこの安定ブラケットの外縁に設けられるリング状の管部材を備えることを特徴とする請求項７に記載の昇降装置。
【請求項１０】
請求項１の昇降装置と、
前記第二磁性体の運動軌跡を廻って設けられる運動通路と、
前記運動通路の管壁に設けられる発電用金属コイルと、
前記金属コイルに連結されて生産された電気エネルギを外界に輸送する電気エネルギ輸送装置を備えることを特徴とする発電装置。
【請求項１１】
請求項４の昇降装置と、
支持ブラケットの上部に設けられ、回転子が前記昇降手段に連結されて前記昇降手段の昇降によって回転されて発電するモーターと、
前記モーターの金属コイルと連結されて生産された電気エネルギを外界に輸送する電気輸送装置を備えることを特徴とする発電装置。
【請求項１２】
請求項７、８、９の任意の一つの昇降装置を備えて、前記揺動部材には管部材が固定されて前記管部材が前記揺動部材につれて揺動し、前記管部材に設けられた運動体は自分の重力で前記管部材内で往復的に運動し、前記管部材の管壁には磁石或は金属コイルが設けられ、前記運動体の中には相応的に金属コイルと磁石が設けられることを特徴とする発電装置。
【請求項１３】
請求項５又は６の昇降装置と、
上昇通路と降下通路を備えて、前記昇降ブラケットは前記上昇通路内で昇降され、前記降下通路の上端口は前記上昇通路の上端口と連通され、下端口は前記上昇通路の下端と連通される昇降通路と、
前記上昇通路と前記降下通路によって構成された昇降通路内で循環的に運動する発電用の運動体と、
前記運動体に設けられる金属コイル或は磁石と、
前記降下通路に設けられる磁石或は金属コイルと、
前記金属コイルに連結されて生産された電気エネルギを外界に輸送する電気エネルギ輸送装置を備えることを特徴とする発電装置。
【請求項１４】
第二磁性体と連結されるバーセットをさらに備え、前記バーセットの垂直バーは発電モーターの回転子と連結されることを特徴とする請求項１３に記載の発電装置。
【請求項１５】
前記昇降手段は大型ピストン及び大型ピストンの下方に固定される昇降バーになる請求項１の昇降装置と、
回転プラットフォームの中心に設けられ、前記昇降バーは前記昇降通路に入る昇降通路と、
前記昇降バーの下端部に固定され、前記昇降通路で前記昇降バーにつれて昇降運動をする運動体と、
水箱、水箱ピストン、水箱ピストンに固定される緩衝ブラケット、緩衝ブラケットの先端に固定される緩衝板を備えて、緩衝板は昇降通路に進入され、排水管は水箱と外部環境を連結する水圧緩衝装置を備えることを特徴とする発電装置。
【請求項１６】
前記昇降手段は盤状大型ピストン及び大型ピストンの下方に固定される昇降バーになる請求項１の昇降装置と、
下部に前記第二磁性体が固定される海水大型ピストンと、
中にピストンが設けられ、このピストンは前記大型ピストンに固定される浸透室と、
一端が浸透室と連結され、他の端が海水に通じる海水進入管と、
前記浸透室との間に逆浸透膜がもうけられて、淡水排出管によって淡水収集装置と連通される淡水貯蔵室と、
濃水輸送管によって浸透室の下部と連通され、濃水排出管によって濃水収集装置と連通される濃水貯蔵室を備えることを特徴とする海水逆浸透装置。
【発明の詳細な説明】
【技術分野】
【０００１】
本発明は昇降装置、及びこの昇降装置を備えた発電装置と海水逆浸透装置に関する。
【背景技術】
【０００２】
エネルギは世界中の大勢の人口にとって、生存発展に係わる基礎的な問題である。生活水準の高まり、経済の発展のいずれにとってもエネルギは欠かせないものである。エネルギ危機はずっと世界各国を悩ませてきた難題であり、電力不足の問題は各国の毎期の政府が直面しなければならない問題である。生産、生活の水準の高まりにともなって、我が国の電力供給の不足と人々の日に日に増加される電力需要との矛盾はますます目立ちつつある。電力使用のピーク期にはなおさらであり、電力不足の状況を緩和するために、政府では電気使用量を限定する措置をとったものの、この措置の実施は消費を大きく抑えてしまい、我が国の経済の発展に不利である。したがって、我が国を含む世界各国では、電力供給能力の向上に努力している。
【０００３】
目前、主な発電方式は火力発電である。たが、火力発電は多くの1回エネルギを消耗されると共に厳重な汚染が生産される。今、各国は自然エネルギによった環境保護ができる発電技術を研究している。その中、水力発電は比較的に成熟な技術で広範に応用され、風力エネルギ、太陽エネルギ、海水エネルギ発電の技術は研究中である。但し、各国は自然界に存在する別のエネルギ、即ち磁気エネルギーに充分な重視を与えなかった。
【０００４】
今、逆浸透膜を利用して海水に対して逆浸透をするのは海水資源を利用して淡水資源を獲得する重要な技術である。但し、今世界中の海水逆浸透装置は、製造費用が高く、建設周期が長く、維持保護の難度が大きく、海水淡泊化の転化率も高くない。また、こんな海水淡泊化技術も大量の現有資源を消耗し、コストが高い。まだ自然エネルギを利用して効率良く海水を浸透する技術が現れない。
【発明の概要】
【発明が解決しようとする課題】
【０００５】
以上の問題を解決するために、本発明の一つの目的は磁性体の磁力を利用して物体を引っ張る昇降装置を提供する。この昇降装置は磁性体の間の磁気エネルギによって物体を引っ張って、物体の重力位置エネルギを改変することができる。
【０００６】
本発明の他の目的は磁性体の間の磁気エネルギを利用して物体の重力位置エネルギを改変することができ、さらにこの重力位置エネルギを電気エネルギと転化する発電装置を提供する。
【０００７】
本発明のまた一つの目的は磁性体の間の磁気エネルギを利用して物体の重力位置エネルギを改変することができ、さらに重力位置エネルギを利用して海水逆浸透する海水逆浸透装置を提供する。
【課題を解決するための手段】
【０００８】
本発明の昇降装置は、プラットフォームに設けられ、駆動装置の駆動で予定軌跡に沿って運動する少なくとも一つの第一磁性体と、
前記第一磁性体の部分軌跡の上方に設けられ、前記第一磁性体の磁性と排斥される少なくとも一つの第二磁性体と、
支持装置に設けられて前記第二磁性体を連結する昇降手段と、を備えて、
前記第一磁性体は設定された速度で循環的に第二磁性体を通過したり離れたりすることによって、前記第二磁性体は垂直に循環的な昇降運動をし、さらに前記昇降手段は昇降したり揺動したりする。
【０００９】
本発明の昇降装置は、前記プラットフォームは軸を廻って回転可能な回転プラットフォームであり、前記駆動装置はこの回転プラットフォームに連結されてこの回転プラットフォームの回転を駆動して、前記第一磁性体はこの回転プラットフォームに固定されてこの回転プラットフォームの回転によって回転する。
【００１０】
本発明の昇降装置は、このプラットフォームは固定設置した支持プラットフォームであり、前記駆動装置は前記第一磁性体に連結されて前記第一磁性体がこの支持プラットフォームでの運動を駆動する。
【００１１】
本発明の昇降装置は、前記昇降手段はバーセットであり、このバーセットはクロスバー及び垂直にクロスバーの下方に設けられる垂直バーを備え、
前記支持ブラケットの先部には孔が設けられ、前記孔の直径は前記垂直バーより少し大きくて前記クロスバーの長手より小さくて、前記垂直バーは前記孔に貫通されて上下に運動することができ、
前記クロスバーの両端下部には緩衝スプリングが設けられて緩衝バーセットが重力の作用で降下する時、前記クロスバーの前記支持ブラケットに対する衝突を緩衝する。
【００１２】
本発明の昇降装置は、前記昇降手段は複滑車であり、この複滑車は若干の定滑車及び前記定滑車を回る縄を備え、前記縄の一端は第二磁性体に固定されて他の端は昇降ブラケットに連結される。
【００１３】
本発明の昇降装置は、前記昇降手段は液圧昇降手段であり、この液圧昇降手段は液体貯蔵室、シリンダー、前記シリンダーの中に設けられるピストン、伸縮筒、及び前記液体貯蔵室と前記シリンダーと前記伸縮筒とを連結する液体ガイド管と逆止弁を備えて、前記伸縮筒の上端部には昇降ブラケットが固定され、前記第二磁性体は前記ピストンに連結される。
【００１４】
本発明の昇降装置は、前記昇降手段は少なくとも一組の磁性支点を具備した揺動部材と磁性サポートを具備したベアリングサポートを備えて、前記磁性サポートの形状、位置は前記磁性支点と対応され、前記磁性支点と前記磁性サポートは磁性が排斥されて前記揺動部材が前記ベアリングサポートの上に掛かることを確保し、前記第二磁性体は前記揺動部材の端部下方に設ける。
【００１５】
本発明の昇降装置は、前記揺動部材はレバー及びレバーに固定される安定ブラケットを備える。
【００１６】
本発明の昇降装置は、前記揺動部材は皿式安定ブラケット及びこの安定ブラケットの外縁に設けられるリング状の管部材を備える。
【００１７】
本発明の発電装置は、請求項１の昇降装置と、
前記第二磁性体の運動軌跡を回って設けられる運動通路と、
前記運動通路の管壁に設けられる発電用の金属コイルと、
前記金属コイルに連結されて生産された電気エネルギを外界に輸送する電気エネルギ輸送装置を備える。
【００１８】
本発明の発電装置は、請求項４の昇降装置と、
支持ブラケットの上部に設けられ、回転子が前記昇降手段に連結されて前記昇降手段の昇降によって回転されて発電するモーターと、
前記モーターの金属コイルと連結されて生産された電気エネルギを外界に輸送する電気輸送装置を備える。
【００１９】
本発明の発電装置は、請求項７、８、９のいずれかの昇降装置を備えて、前記揺動部材には管部材が固定されて前記管部材が前記揺動部材につれて揺動し、前記管部材に設けられた運動体は自分の重力で前記管部材内で往復的に運動し、前記管部材の管壁には磁石或は金属コイルがもうけられて前記運動体の中には相応的に金属コイルと磁石が設けられる。
【００２０】
本発明の発電装置は、請求項５又は６の昇降装置と、
上昇通路と降下通路を備えて、前記昇降ブラケットは前記上昇通路内で昇降され、前記降下通路の上端口は前記上昇通路の上端口と連通され、下端口は前記上昇通路の下端と連通される昇降通路と、
前記上昇通路と前記降下通路によって構成された昇降通路内で循環的に運動する発電用の運動体と、
前記運動体に設けられる金属コイル或は磁石と、
前記降下通路に設けられる磁石或は金属コイルと、
前記金属コイルに連結されて生産された電気エネルギを外界に輸送する電気エネルギ輸送装置を備える。
【００２１】
本発明の発電装置は、第二磁性体と連結されるバーセットをさらに備え、前記バーセットの垂直バーはモーターの回転子と連結される。
【００２２】
本発明の発電装置は、前記昇降手段は大型ピストン及び大型ピストンの下方に固定される昇降バーになる請求項１の昇降装置と、
回転プラットフォームの中心に設けられ、前記昇降バーは前記昇降通路に入る昇降通路と、
前記昇降バーの下端部に固定され、前記昇降通路で前記昇降バーにつれて昇降運動をする運動体と、
水箱、水箱ピストン、水箱ピストンに固定される緩衝ブラケット、緩衝ブラケットの先端に固定される緩衝板を備えて、緩衝板は昇降通路に進入され、排水管は水箱と外部環境を連結する水圧緩衝装置を備える。
【００２３】
本発明の発電装置は、前記昇降手段は盤状大型ピストン及び大型ピストンの下方に固定される昇降バーになる請求項１の昇降装置と、
下部に前記第二磁性体が固定される海水大型ピストンと、
中にピストンが設けられ、このピストンは前記大型ピストンに固定される浸透室と、
一端が浸透室と連結され、他の端が海水に通じる海水進入管と、
前記浸透室との間に逆浸透膜がもうけられて、淡水排出管によって淡水収集装置と連通される淡水貯蔵室と、
濃水輸送管によって浸透室の下部と連通され、濃水排出管によって濃水収集装置と連通される濃水貯蔵室を備える。
【発明の効果】
【００２４】
本発明の昇降装置は、主に磁気エネルギと重力位置エネルギの交互作用を利用して、物体の垂直上下に連続的な循環昇降を実現する。この装置は自然エネルギを充分に利用して、エネルギの節約と環境の保護ができ、大きく作ったり小さく作ったりすることができ、経済的で、実用的で、適用範囲が広い。
【００２５】
本発明の発電装置は、主に前記昇降装置を利用して物体の発電運動を形成して、投資が少なく、建設周期が短く、適用範囲が広く、発電効率が高い。その外、本発明の発電装置は小さく作ることができて移動過程で発電することができるため、各運搬工具の理想的なエネルギー源とすることができる。
【００２６】
本発明の海水逆浸透装置は、主に上記昇降装置を利用して重い物を挙げてからこの重い物の重力位置エネルギを海水逆浸透装置のエネルギー源とし、構造が簡単で、メンテナンスが容易で、コストが低い。
【図面の簡単な説明】
【００２７】
【図１】本発明の実施例１に係る発電装置の縦断面図である。
【図２】本発明の実施例２に係る発電装置の縦断面図である。
【図３】（ａ）は、本発明の実施例３に係る発電装置の縦断面図であり、（ｂ）は、本発明の実施例３に係る発電装置の平面図である。
【図４Ａ】本発明の実施例４に係る発電装置の縦断面図である。
【図４Ｂ】図４Ａの発電装置の平面図である。
【図５Ａ】本発明の実施例５に係る発電装置の縦断面図である。
【図５Ｂ】図５Ａの発電装置の平面図である。
【図５Ｃ】図５Ｂの発電装置の第一磁性体の別の配布方式を示す図である。
【図５Ｄ】図５Ｂの発電装置の第一磁性体の別の配布方式を示す図である。
【図６】（ａ）は、本発明の実施例６に係る発電装置の縦断面図であり、（ｂ）は、（ａ）の発電装置から揺動部材を除去した後の平面図であり、（ｃ）は、（ａ）の発電装置のＡ−Ａ線の断面図であり、（ｄ）は、（ａ）の発電装置の揺動部材のＢ−Ｂ線の断面図である。
【図７】図６（ａ）が示す発電装置の磁石と金属コイルの幾つかの種類の配布方式を示す図である。
【図８Ａ】本発明の実施例７に係る発電装置の縦断面図である。
【図８Ｂ】図８Ａの発電装置の平面図である。
【図８Ｃ】図８Ａが示す発電装置の昇降通路の幾つかの種類の配布方式を示す図である。
【図８Ｄ】図８Ａが示す発電装置の昇降通路の幾つかの種類の配布方式を示す図である。
【図８Ｅ】図８Ａが示す発電装置の昇降通路の幾つかの種類の配布方式を示す図である。
【図９】図８Ａが示す発電装置の磁石と金属コイルの幾つかの種類の配布方式を示す図である。
【図１０】図８Ａが示す実施例の発電装置の運動体の幾つかの種類の配布方式を示す図である。
【図１１】本発明の実施例８に係る発電装置の縦断面図である。
【図１２】（ａ）は、本発明の実施例９に係る発電装置の縦断面図であり、（ｂ）は、（ａ）の発電装置のＡ−Ａ線の断面図であり、（ｃ）は、（ａ）の発電装置のＢ−Ｂ線の断面図である。
【図１３】本発明の実施例１０に係る発電装置の縦断面図である。
【図１４】本発明の実施例１１に係る発電装置の縦断面図である。
【図１５】本発明の実施例１２に係る発電装置の縦断面図である。
【図１６】本発明の実施例１２の発電装置の第一磁性体の幾つかの種類の配布方式を示す図である。
【図１７】（ａ）は、本発明の実施例1３に係る発電装置の縦断面図であり、（ｂ）は、（ａ）の発電装置の別の方向の縦断面図であり、（ｃ）は、（ａ）の発電装置の大型ピストンが最低位置に位置する時の縦断面図である。
【図１８】本発明の実施例1４に係る発電装置の縦断面図である。
【図１９】（ａ）は、本発明の実施例1５に係る発電装置の縦断面図であり、（ｂ）は、（ａ）の発電装置の別の方向の縦断面図であり、（ｃ）は、（ａ）の発電装置の大型ピストンが最低位置に位置する時の縦断面図である。
【図２０】（ａ）は、本発明の実施例1６に係る海水逆浸透装置の縦断面図であり、（ｂ）は、（ａ）の海水逆浸透装置の平面図であり、（ｃ）、（ｄ）は、（ａ）の海水逆浸透装置の支持プラットフォームの別の種類の水溜まりを防止する設計方式を示す図である。
【図２１】本発明の実施例1７に係る海水逆浸透装置の縦断面図である。
【図２２】本発明の実施例1８に係る海水逆浸透装置の縦断面図である。
【図２３】本発明の実施例1９に係る海水逆浸透装置の縦断面図である。
【発明を実施するための形態】
【００２８】
以下、本発明の具体的な実施例について、添付図面を参照して詳細に説明する。
【００２９】
図１のように、本発明の第１の実施例に係る発電装置は昇降装置と発電モジュールを備える。
【００３０】
ここで、昇降装置は駆動モーター１、固定軸２及び回転プラットフォーム３を備える。固定軸２は地面に固定され、地下に設けたベース２１、ベース２１に固定された軸２２、軸２２の先端に固定された支持台２３を備える。円盤形の回転プラットフォーム３は固定軸２を廻って設けられ駆動モーター１に接続され、駆動モーター１の駆動によって固定軸２を廻って回転できる。回転プラットフォーム３の回転摩擦を低下するように、回転プラットフォーム３と固定軸２の間にボール２４が設けられる。
【００３１】
この昇降装置はまた支持ブラケット４、第一磁性体５、第二磁性体６及び複滑車７を備える。支持ブラケット４は地面及び固定軸２に固定される。第一磁性体５は三つの形状が同様な磁石であり、回転プラットフォーム３の平面の同一な円周に同じ間隔で固定される。複滑車７は固定軸２に設けられる定滑車、及び固定軸２に対して対称的に支持ブラケット４の先部に設けられる二つの定滑車を備える。縄８は複滑車７に巻きつく。複滑車７は第一磁性体５を安定するようにする。第二磁性体６は二つの同様な磁石であり、複滑車７の縄８の両端に連結され、固定軸２の軸線に対して対称される。第二磁性体６は第一磁性体５と磁性が排斥され、第一磁性体５と一定の距離を隔て第一磁性体５の上方に掛かる。
【００３２】
この昇降装置はまた第二磁性体６に設けられた昇降通路９を備え、昇降通路９は支持ブラケット４によって固定される。第二磁性体６はローラ６１によって昇降通路９に接触される。
【００３３】
発電モジュールは金属コイル１０と磁石１１を備える。ここで、金属コイル１０は第二磁性体６に設けられ、発電用磁石１１は昇降通路９の管壁に設けられる。
【００３４】
この発電モジュールはまた金属コイルに連結されたケーブル１２を備え、ケーブル１２によって生産された電気エネルギを公共電気ネットを含める外界に輸出する。
【００３５】
以下、本実施例の発電装置の動作原理を説明する。
【００３６】
開始状態の時、二つの第二磁性体６は同一な平面に位置する。駆動モーター１を駆動して回転プラットフォーム３を回転させて回転プラットフォーム３に固定された第一磁性体５を回転させる。回転している第一磁性体５がその上方にかかる第二磁性体６の下方に位置する時、両者の排斥力は第二磁性体６を押して上昇するようにする。この時、第一磁性体５と第二磁性体６は1つ1つに対応されなく、縄８の他の端に位置する第二磁性体６に下方には第一磁性体５が無い。即ち縄８の他の端に位置する第二磁性体６は第一磁性体５の排斥力を受けなくて降下される。この時、第二磁性体６に設けられた金属コイルは昇降通路９の管壁に設けられた磁石に対して運動が生産し、固定子と回転子の間の電磁作用によって電気エネルギを発生する。生産された電気エネルギはケーブル１２によって公共電気ネットに輸送される。第一磁性体５は同一の円周に同じ間隔で設けられる六つの磁石であってもいい。
【００３７】
図２のように、本発明の第二実施例に係る発電装置は第一実施例の構造と基本的に同一で、区別点は以下の通りである。
【００３８】
第一磁性体５は形状が同様な四つの磁石で、回転プラットフォーム３の外円周に同じ間隔で固定される。バーセット１３で第一実施例の複滑車７を取り代えて第二磁性体を安定し、第二磁性体６に沿って昇降する。バーセット１３は二つで固定軸２の軸線に対称された。各バーセット１３はクロスバー１３１及びクロスバー１３１と垂直に下方に設けられる垂直バー１３２を備える。相応的に、支持ブラケット４の先端には孔４１が設けられ、孔４１の直径は垂直バー１３２の直径より少し大きく、クロスバー１３１の長さよりは小さい。垂直バー１３２は孔４１を貫通し上下運動することができる。クロスバー１３１の両端の下部には緩衝スプリング１３３が設けられ、バーセット１３が重力の作用で降下する時、支持ブラケット４に対するクロスバー１３１の衝撃を緩衝することができる。
【００３９】
第二磁性体６は形状が同様な磁石であり、二つの固定ブラケット１３の下端に固定され、第一磁性体５と設定間隔を隔て第一磁性体５の上方に掛けられ、第二磁性体６と磁性が排斥される。
【００４０】
本実施例の発電装置の動作過程は以下の通りである。
【００４１】
開始状態の時、二つの第二磁性体６は同一の水平面に位置する。駆動モーター１を駆動して回転プラットフォーム３を回転させて回転プラットフォーム３に固定された第一磁性体５を回転させる。回転している第一磁性体５がその上方にかかる第二磁性体６の下方に位置する時、両者の排斥力は第二磁性体６を押して上昇するようにする。第一磁性体５と第二磁性体６は対称的に配布され、別の第一磁性体５が回転されて第二磁性体６の下方に位置する時、両者の間の排斥力は別の第二磁性体６を第一磁性体５に対して上昇するようにする。この時第二磁性体６に設けた金属コイルは昇降通路９の管壁に設けた磁石に対して運動が発生する。したがって、固定子と回転子の間の電磁作用で電気エネルギーが発生し、生産された電気エネルギはケーブル１２によって外界へ輸送される。
【００４２】
図３（ａ）と図３（ｂ）のように、本発明の第三実施例の発電装置と第二実施例の発電装置は基本的に同一で、区別点は以下の通りである。
【００４３】
本実施例の発電モジュールは昇降装置の金属コイルと磁石に直接に設けられるのではなく、支持ブラケット４に設けられる四つの発電モーター１４である。発電モーター１４の回転子はバーセット１３′に連結され、バーセット１３′の他の端は第二磁性体６に固定される。
【００４４】
第一磁性体５は同一の円周に同じ間隔で設けられる三つの自然磁石である。
【００４５】
本実施例の発電装置の動作過程は第二実施例と似ている。
【００４６】
開始状態の時、四つの第二磁性体６は同一の水平面に位置する。駆動モーター１を駆動して回転プラットフォーム３を回転させて回転プラットフォーム３に固定された第一磁性体５を回転させる。回転している第一磁性体５がその上方にかかる第二磁性体６の下方に位置する時、両者の排斥力は第二磁性体６を押して上昇するようにする。バーセット１３は第二磁性体６の回転によって上昇され、発電モーター１４を回転させて発電するようにする。生産された電気エネルギはケーブル１２によって外界に輸送される。この時、他の三つの第二磁石６は第一磁石５の排斥力を受けなくて重力の作用で降下される。
【００４７】
図４Ａ、４Ｂは本発明の第四実施例を示す。図４Ａ、４Ｂのように、本発明の第四実施例の発電装置は昇降装置と発電モジュールを備える。
【００４８】
昇降装置は駆動モーター１、固定軸２及び回転プラットフォーム３を備える。これらの部材の構造及び位置関係は第一実施例の相応部材と同一である。
【００４９】
この昇降装置はまた第一磁性体５を備える。第一磁性体５は形状が同一な四つの磁石で、同じ間隔で回転プラットフォーム３の同じ円周に固定される。
【００５０】
この昇降装置はまた支持ブラケット４、第二磁性体６、揺動部材１５及び運動体１６を備える。支持ブラケット４は第一磁性体５の分布に対して回転プラットフォーム３の周りに設けられる。支持ブラケット４には、凹部がついた磁性サポート４２が設けられている。揺動部材１５はレバー式の揺動部材であって管１５１を備える。管１５１内部の一部は相対的に滑らかな運動管道１５２が設けられ、運動体１６は相対的に滑らかな運動管道１５２内で運動することができる。管１５１の中央近くの位置には水滴状の磁性支点１５３が設けられ、磁性サポート４２の凹部と形状が対応し、磁性が排斥で大きさが少し小さい。磁性支点１５３が磁性サポート４２の上方近くに掛けられることによって、レバー式の揺動部材１５が支持ブラケット４の上方に位置する。第二磁性体６は管１５１の回転プラットフォーム３に近づいた端部の下方に固定され、第一磁性体５の上方に位置し、第一磁性体５と磁性が排斥される。管１５１の他の端には緩衝ブラケット１５４が設けられ、緩衝筒１７は支持ブラケット４の回転プラットフォーム３と遠く離れた一側に設けられ、緩衝ブラケット１５４は緩衝筒１７に入られ、管１５１の上方には安定ブラケット１５５が設けられ、管１５１を平衡して、揺動偏差が発生するのを防止する。
【００５１】
その外、この昇降装置は、支持ブラケット４と回転プラットフォーム３の間にプラットフォームに近づいた位置にまた緩衝支柱１８が設けられ、この緩衝支柱１８の上方にはクッション１８１が設けられて第二磁性体６が落下し過ぎて回転プラットフォーム３に衝突するのを防止する。
【００５２】
発電モジュールの金属コイル１０は昇降通路９の管壁に設けられ、磁石１１は運動体１６に設けられる。また、緩衝筒１７の管壁にも発電モジュールの磁石１１或いは金属コイル１０が設けられ、緩衝ブラケット１５４の端部に相応的に発電モジュールの金属コイル１０或いは磁石１１が設けられる。
【００５３】
この発電モジュールはまた金属コイルに連結されたケーブル１２を備えて、ケーブル１２は生産された電気エネルギを外界に輸送する。
【００５４】
以下、本実施例の発電装置の動作過程を説明する。
【００５５】
開始状態の時、四つの第二磁性体６は同一の水平面に位置する。駆動モーター１を駆動して回転プラットフォーム３を回転させて回転プラットフォーム３に固定された第一磁性体５を回転するようにする。回転している第一磁性体５がその上方にかかる第二磁性体６の下方に位置する時、両者の排斥力は第二磁性体６を押して上昇するようにする。さらに揺動部材１８の第二磁性体６が設けられた端部が上昇され、揺動部材１５が支点を回って垂直に上下揺動して、他の端は降下され、緩衝ブラケット１５４を緩衝筒１７内で上下に垂直に運動させるようにする。掛けた状態の管１５３を設定した速度で等速に垂直左右揺動されて、運動体１６及び緩衝ブラケット１５４に運動位置エネルギを提供する。揺動部材１５内部の運動通路１５２が傾かれた状態、運動通路１５２内部に設けられた運動体１６は重力の作用で運動通路１５２に沿って運動し始める。即ち、昇降通路９の管壁に設けられた金属コイル１０は運動体１６に設けられた磁石１１に対し運動が発生されて電気エネルギを生産する。生産されたエネルギはケーブル１２によって公共電気ネットに輸送される。また、緩衝ブラケット１５４も緩衝筒１７内で運動して発電する。
【００５６】
回転プラットフォーム３が回転して、第一磁性体５が第二磁性体６を離れる時、揺動部材１５の回転プラットフォーム３に近づいた一端は重力の作用で降下し、回転プラットフォーム３から離れた一端は上昇する。昇降通路１５２が反対方向に傾いた時、運動体１６は反対方向に沿って運動し、再び発電されて公共電気ネットに輸送する。このように循環的に往復する。
【００５７】
図５Ａ、５Ｂは本発明の第五実施例の発電装置を示す。この発電装置の構造及び動作原理は第四実施例が示す発電装置と基本的に同一である。区別点は、レバー式の揺動部材１５の磁性支点１５３が管１５１から離れた回転プラットフォーム３の端部に設けられ、緩衝ブラケット１５４はレバー式の揺動部材１５の中心に近づいた下部に設けられる。磁性支点１５３が回転プラットフォーム３に近づいた位置に設けられたため、緩衝支柱１８とクッション１８１を設ける必要がない。
【００５８】
図５Ｃと５Ｄは本発明の第五実施例の発電装置の第一磁性体５の別の二つの方式を示す。図５Ｃでは、第一磁性体５は同一な間隔で回転プラットフォーム３の同一の円周に設けられる六つの磁石であり、図５Ｄでの第一磁性体５は同一な間隔で回転プラットフォーム３の同一の円周に設けられる三つの磁石である。
【００５９】
図６（ａ）乃至（ｄ）に示すように、本発明の第六実施例の発電装置は昇降装置と発電モジュールを備えている。
【００６０】
ここで、昇降装置は、駆動モーター１、固定軸２、駆動モーター１の駆動で固定軸２を廻って回転する回転プラットフォーム３を備えている。回転プラットフォーム３と固定軸２の間にはボールが設けられて、回転プラットフォーム３の回転摩擦を小さくする。第一磁性体５は三つの形状が同じ磁石であり、同一な間隔で回転プラットフォーム３の同一の円周に設けられる。
【００６１】
この発電装置はまた支持ブラケット４、第二磁性体６、運動体１６及び揺動部材１５を備えている。支持ブラケット４は回転プラットフォーム３の固定軸２の上部に設けられ、支持ブラケット４には凹部がついた磁性サポート４２が設けられる。揺動部材１５′は皿式の揺動部材であり、その直径は回転プラットフォーム３の直径と対応される。皿式の揺動部材１５′はリング状の管１５１′を備え、管１５１′の内部には相対的に滑らかな運動通路１５２′が設けられて、運動体１６は相応的に滑らかな運動通路１５２′内で運動する。リング状の管１５１′には皿式安定ブラケット１５５′が設けられ、皿式安定ブラケット１５５′の下部の中心位置には水滴状の磁性支点１５３′が設けられ、磁性支点１５３′は磁性サポート４２の凹部の形状と対応され、磁性が排斥され、大きさが少し小さく、磁浮きを形成する。磁性支点１５３′と磁性サポート４２の設置方式は皿式の揺動部材１５′が支持ブラケット４の上方に掛かることができるようにする。第二磁性体６は二つであり、皿式安定ブラケット１５５′を中心として対称的に管１５１′の下部に設けられ、第一磁性体５の回転軌跡の上方に位置するとともに第二磁性体６と磁性が排斥される。
【００６２】
この昇降装置では、回転プラットフォーム３の外側に緩衝支柱１８が設けられ、緩衝支柱１８は回転プラットフォーム３と皿式の揺動部材１５′の間に延伸された緩衝プラットフォーム１８２′が具備される。この緩衝プラットフォームにはクッション１８１′が設けられて、皿式の揺動部材１５′が落下し過ぎて回転プラットフォーム３に衝突するのを防止する。
【００６３】
発電モジュールは金属コイル１０と磁石１１及びケーブル１２を備えている。図７（ａ）と図７（ｆ）のように、発電用の金属コイル１０と磁石１１は幾つかの配布方式がある。図７（ａ）、（ｂ）のように、金属コイル１０は運動体１６に設けられ、磁石１１は運動通路１５２′の外側の管壁に設けられる。或いは、図７（ｃ）、（ｄ）のように、金属コイル１０は運動体１６に設けられ、磁石１１は１５２′の内側と外側の管壁に設けられ、或いは図７（ｅ）と（ｄ）のように、運動通路１５２′内側の管壁に設けられる。運動体１６の金属コイルは電車式スライド抓むことによってケーブル１２に連結され（未表示）、このケーブルは生産された電気エネルギを公共電気ネットに輸送するためである。
【００６４】
以下、本実施例の発電装置の動作原理を説明する。
【００６５】
原始状態の時、四つの第二磁性体６は同一の水平面に位置する。駆動モーター１を駆動して回転プラットフォーム３を回転させて回転プラットフォーム３に固定された第一磁性体５を回転するようにする。回転している第一磁性体５がその上方にかかる第二磁性体６の下方に位置する時、両者の排斥力は第二磁性体６を押して上昇するようにする。さらに揺動部材１５′の第二磁性体６が設けられた端部が上昇され、揺動部材１５′が磁性サポート４２を回って垂直に上下揺動して、この第二磁性体６の設置位置と対応される他の端は降下される。揺動部材１５′内部の運動通路１５２′が傾かれた時、運動通路１５２′内部に設けられた運動体１６は重力の作用で運動通路１５２′に沿って運動し始める。即ち、運動通路１５２′の管壁に設けられた金属コイル１０は運動体１６に設けられた磁石１１に対し運動が発生されて、電気エネルギを生産する。生産されたエネルギはケーブル１２によって公共電気ネットに輸送される。
【００６６】
回転プラットフォーム３が回転して、第一磁性体５が第二磁性体６を離れる時、揺動部材１５の回転プラットフォーム３に近づいた一端は重力の作用で降下し、回転プラットフォーム３から離れた一端は上昇する。昇降通路１５２が反対方向に傾いた時、運動体１６は反対方向に沿って運動し、再び発電されて公共電気ネットに輸送する。このように循環的に往復する。
【００６７】
図８Ａ乃至８Ｅのように、本発明の第七実施例の発電装置は昇降装置と発電モジュールを備えている。
【００６８】
ここで、昇降装置は、駆動モーター１、固定軸２、駆動モーター１の駆動で固定軸２を廻って回転する回転プラットフォーム３を備えている。回転プラットフォーム３と固定軸２の間にはボールが設けられて、回転プラットフォーム３の回転摩擦を小さくする。第一磁性体５は三つの形状が同じ磁石であり、同一な間隔で回転プラットフォーム３の同一の外円周に設けられる。
【００６９】
この昇降装置はまた支持ブラケット４、第二磁性体６、複滑車７、縄８、昇降通路９及び運動体１６を備える。支持ブラケット４は回転プラットフォーム３の周りに設けられ、複滑車７は支持ブラケット４に設けられる。複滑車７は回転プラットフォーム３の上方に設けられる滑車切り替え手段７１を備えて、定滑車７２、７３は滑車切り替え手段７１に対して支持ブラケット４に固定される。縄８は定滑車７２、７３及び滑車切り替え手段７１を回って、下端は第二磁性体６に連結されて、他の端は滑車切り替え手段７１を回る。滑車切り替え手段７１は円盤状の昇降ブラケット１９に連結される。昇降通路９は円筒状の上昇通路９１と弓形降下通路９２を備えている。内壁が相応的に滑らかな弓形降下通路９２は上昇通路２２の側面に設けられ、上昇通路９１の上端口は降下通路９２の上端と連結され、上昇通路９１の下端口は降下通路９２の下端口に連結される。昇降ブラケット１９は円筒状内を上昇したり降下したりすることができる。運動体１６は降下通路９２に沿って降下できる。
【００７０】
図８Ｃ〜図８Ｄは図８Ａが示す発電装置の降下通路９２の幾つかの設置方式を示す。
【００７１】
発電モジュールは金属コイル１０、磁石１１、ケーブル１２を備えている。
【００７２】
図９（ａ）〜図９（ｇ）は図８Ａが示す発電装置の磁石と金属コイル１０と磁石１１の幾つかの種類の配布方式を示す。図９（ａ）〜図９（ｇ）のように、運動体１６は車輪１６１を具備している。発電用の金属コイル１０と磁石１１は以下の三つの方式のように設けることができる。図９（ａ）、図９（ｂ）のように、金属コイル１０が運動体１６の内部に設けられて、磁石１１は上昇通路９１の管壁に設けられる。図９（ｃ）、図９（ｄ）のように、金属コイル１０が上昇通路９１の管壁に設けられて、磁石１１は運動体１６に設けられる。図９（ｅ）、図９（ｆ）、図９（ｇ）のように、車輪の輪軸に金属コイル１０が設けられ、車輪のウィールに磁石１１が設けられる。
【００７３】
図１０（ａ）〜図１０（ｉ）は図８Ａが示す発電装置の運動体１６と降下通路９２の幾つかの種類の配布方式を示す。
【００７４】
以下、本実施例の動作過程を説明する。
【００７５】
開始状態の時、二つの第二磁性体６は同一の水平面に位置し、運動体１６は降下通路２３の上端口に位置する。僅かな力で運動体１６を駆動して上昇通路９１に沿って下方に運動させる。金属コイル１０と磁石１１は上記三つの方式での一つの方式で設けられたため、運動体１６が降下通路９２に沿って降下する過程において、運動体１６に設けられた金属コイル１０と磁石１１の間に電磁感応が発生して、電気エネルギーを生産する。生産された電気エネルギは金属コイル１０に連結された弾式抓みスライド輪１６１によって降下通路９２の管壁の内側に設けられたケーブル１２に輸送され、再びケーブル１２によって公共電気ネットに輸送される。運動体１６が降下通路９２の下端まで運動すると、運動体１６は方向が転換され、降下通路９２の下端口からそれと連結された昇降ブラケット１９に入る。この時、駆動モーター１を駆動して、回転プラットフォーム３を回転させて回転プラットフォーム３に固定された第一磁性体５を回転するようにする。回転している第一磁性体５がその上方にかかる第二磁性体６の下方に位置する時、両者の排斥力は第二磁性体６を押して上昇するようにする。他の第二磁性体６は降下され、二つの第二磁性体６の昇降は縄８及び滑車切り替え手段７１によって昇降ブラケット１９が上昇するようにする。運動体１６は上昇通路９１の上昇によって上昇通路９１の上端口まで到着する。上端口まで到着されると、昇降ブラケット１９と降下通路９２が連結されたため、運動体１６は降下通路９２の上端口に入って再び発電する。運動体１６が上昇通路９１に沿って再び降下する過程では、第二磁性体６は第一磁性体５を離れるため、昇降ブラケット１９は重力の作用で降下されて上昇通路９１の底部に位置し、降下通路９２の下端口と連結される。運動体１６はこのように循環的に運動する。
【００７６】
第二磁性体６の昇降循環の速度が運動体１６の昇降循環の速度よりも大きくて、運動体１６の一つの昇降循環中、第二磁性体６は複数に昇降される。第二磁性体６の運動エネルギの浪費を防止するために、この発電装置はまた他の昇降装置及び発電モジュールが設けられる。
【００７７】
具体的に、本実施例の発電モジュールはまたモーター１４を備える。相応的に、この昇降装置では、第二磁性体６の周りに昇降通路９′が設けられ、第二磁性体６はボール６１によって昇降通路９′の内壁を上下に運動する。第二磁性体６にはまたバーセット１３″が連結され、バーセット１３″は垂直バー１３２″及び連結ブラケット１３４を備えている。第二磁性体６は連結ブラケット１３４の一端に係止され、垂直バー１３２″は連結ブラケット１３４の他の端に固定され、垂直バー１３２″の他の端はモーター１４の回転子に連結される。
【００７８】
こんな構造によって、運動体１６は降下する過程においても、第一磁性体５の持続的な回転で、第二磁性体６が複数の昇降をし、連結ブラケット１３４は第二磁性体６の昇降によって垂直バー１３２″を昇降させて、発電モーター１４の回転子を回転して循環的な発電をする。
【００７９】
図１１は本発明の第八実施例を示す。本発明の第八実施例の発電装置は第七実施例の昇降装置と発電手段を備えている。本発明では、この昇降装置の昇降ブラケット１９にバルブがついた水箱２０を設ける。本実施例の発電手段は水室３１、交替装置３２、排水装置３３、無水通路３４、運動体１６及び発電モジュールを備えている。
【００８０】
水室３１は立方体の形状を持って、一定量の水が装入されている。交替装置３２は水室３１の下部に設けられ、上方ドア、気孔と側ドアを備えている。上方ドアは開閉が可能であり、水室３１と交替装置３２連通したり仕切ったりする。排水装置３３は交替装置３２の一側或は下方に設けられて、容積は交替装置３２より大きい。
【００８１】
排水装置３３は交替装置３２と連通された排水孔が具備されて、交替装置３５の水は排水孔によって排水装置３３に入る。排水装置３３はまた排水管３３１を具備して、排水管３３１の末端は上昇通路９２へ通じ、さらに水箱２０のバルブを通じて、交替装置２の交替された水を即時に昇降水箱２０に排水して、次の給排水を準備するようにする。排水装置３３にも気孔が設けられている（未図示）。
【００８２】
発電過程において、排水管３３１によって排水装置３３の水を上昇通路９１の底部に位置する昇降水箱２０に吸い込む。第一磁性体５を回転して、第一磁性体５が第二磁性体６の下方に位置する時、磁性が同じなので生産された排斥力は第二磁性体６を上昇させる。この時、縄８に固定された第二磁性体６は縄８によって複滑車８を回転させて、昇降水箱２０を上昇するようにする。昇降水箱２０が上昇して注水管３１１と連結されるとき、昇降水箱２０の一側のバルブを開いて、その中の水を注水管３１１を介して水室３１に輸送し、水室３１の水量を確保して、発電装置の循環的な工作を確保する。
【００８３】
水室３１の外側には一つの無水通路３４が設けられている。無水通路３４は上方ガイド通路、高い所から低い所に傾かれた降下通路及び下方ガイド通路を備えている。上方ガイド通路の一端は水室３１の上端口に連結され、ガイド装置が設けられる。上方ガイド通路の他の端は水室３１の側面の地下に設けられた降下通路の始端に連結され、降下通路の末端は下方ガイド通路の一端に連結され、下方ガイド通路の他の端は交替装置３２の側ドアに連結されている。全ての通路には滑らかな軌道（未図示）が設けられ、運動体１６は無水通路３４の軌道上で運動する。
【００８４】
緩衝伝動装置３５は水室３１の設定位置に位置して運動体１６が水面まで浮く速度を緩衝する。緩衝伝動装置３５は緩衝板、緩衝板に設けられた平衡ブラケット４７２、平衡ブラケット４７２の中央に設けられた鎖の歯支柱４７３を備えている。この時、水室３１の上方に発電モーターを設置することができる。鎖の歯支柱４７３は発電組４４のモーターの砥石車と噛合して、緩衝伝動装置３５の浮エネルギを電気エネルギと転換して発電する。
【００８５】
本実施例の発電は二つの過程を持っている。即ち運動体１６が無水通路３４での降下発電過程と運動体１６が水室３１での浮く過程の発電である。運動体１６は中空扁球体であり、回転輪１６１を持って、浮力が重力より大きい。図１７（ａ）のように、降下通路の内壁に発電用の磁石１１を設け、運動体１６には発電用のコイル１０を設ける。ケーブル１２はコイル１０に連結されて電気エネルギを外界に輸送する。又は、降下通路の内壁にコイルを設け、運動体１６に磁石１１を設けるのもいい。又は、回転輪１６１にコイルと磁石を設けるのもいい。浮発電モジュールは水室３１の上方に設けられた発電組（未図示）及び緩衝伝動装置３５を備えている。
【００８６】
具体的な動作原理は同一の出願人の他の特許PCT/CN2006/002239を参照すればよい。
【００８７】
図１２（ａ）乃至図１２（ｃ）のように、本発明の第九実施例の発電装置は昇降装置と発電モジュールを備えている。
【００８８】
ここで、昇降装置は、駆動モーター１、固定軸２、駆動モーター１の駆動で固定軸２を廻って回転する回転プラットフォーム３を備えている。回転プラットフォーム３と固定軸２の間にはボールが設けられて、回転プラットフォーム３の回転摩擦を小さくする。第一磁性体５は四つの形状が同じ磁石であり、同一な間隔で回転プラットフォーム３の同一の外円周に設けられる。
【００８９】
この昇降装置はまた支持ブラケット４、第二磁性体６、運動体１６及び液圧装置２１を備えている。支持ブラケット４は回転プラットフォーム３の周りに設けられ、液圧装置２１は液体貯蔵室２１１、圧縮シリンダー２１２、圧縮シリンダー２１２に設けられたピストン２１３、伸縮筒２１４及び伸縮筒２１４の先端に設けられる昇降ブラケット１９を備えている。液体貯蔵室２１１、圧縮シリンダー２１２及び伸縮筒２１４の間は液圧管２１５によって連結される。上昇通路９１、降下通路９２及び運動体１６の構造と設置方式は上記の実施例と同一である。第二磁性体６は連結バー６によってピストン２１３と固定されて第一磁性体５の運動軌跡上方に位置し、第一磁性体５と磁性が排斥される。伸縮筒２１４は固定軸2の中に設けられ、縮む時、昇降ブラケット１９と上昇通路９１の下端口が連通するように設置する。
【００９０】
以下、本実施例の発電装置の動作過程を説明する。
【００９１】
開始状態の時、二つの第二磁石６は同一な水平面に位置すると共に第一磁性体５から離れ、運動体１６が昇降ブラケット１９に位置し、昇降ブラケット１９と降下通路９２の上端口が連通されている。
【００９２】
運動体２１を駆動して降下通路９２の上端口に入るようにする。その後、僅かな力で運動体１６を駆動して降下通路９２に沿って下方に運動させる。この時、金属コイル１０は磁石１１に対して相応的な運動が発生されて電気エネルギを生産する。生産された電気エネルギはケーブル１２によって公共電気ネットに輸送される。同時に、駆動モーター１を駆動して回転プラットフォーム３を回転させて回転プラットフォーム３に固定された第一磁性体５を回転するようにする。回転している第一磁性体５がその上方にかかる第二磁性体６の下方に位置する時、両者の排斥力は第二磁性体６を押して上昇するようにする。この時、ピストンに対する推し圧力が釈放され、昇降ブラケット１９と伸縮筒２１４の重力は液圧からの推力より大きくて、徐々に降下され、液圧の液体は回流され、昇降ブラケット１９は上昇通路９１の底部に位置し、降下通路９２の下端口と連通される。運動体１６が上昇通路９１の下端まで運動すると、運動体１６を駆動して昇降ブラケット１９に入るようにする。この時、第一磁性体５を回転してちょうど第二磁性体６を離れるようにすると、第二磁性体６は排斥力の作用を受けないから、重力の作用で降下されて、第二磁性体６に固定されたピストン２１３は降下されて液圧装置の液体を圧縮して伸縮筒を押して、さらに昇降ブラケット１９を押して運動体１６を上昇するようにして、降下通路９２の上端口と連通される位置まで到着するようにする。この時、運動体１６を駆動して降下通路９２に入るようにすれば、運動は重複される。このように重複されながら、持続的に往復的に発電する。
【００９３】
図１３は本発明の第十実施例を発電装置を示す、この発電装置の構造は第八実施例と基本的に同一であるが、区別点は、本実施例の昇降通路２２と上昇通路９１及び液圧装置２１の伸縮筒２１４は地下に設けられる。
【００９４】
図１４は本発明の第十一実施例の発電装置を示す。本発明の第十一実施例の発電装置は第九実施例の昇降装置と発電手段を備えている。本実施例では、この昇降装置の昇降ブラケットをバルブがついた昇降水箱２０で替える。本実施例での発電手段は水室３１、交替装置３２、排水装置３３、無水通路３４、箱体３６及び発電モジュールを備えている。
【００９５】
水室３１は立法体の形状を持ち、一定量の水を装入している。
【００９６】
交替装置３２は水室３１の下部に設けられ、上方ドアと気孔（未図示）を具備している。上方ドアは水室３１と交替装置３２を仕切る。上方ドアの上部には進水孔及び第一通孔が設けている。
【００９７】
排水装置３３は交替装置３２の下方に設けられ、容積は交替装置３２より大きい。排水装置３３は交替装置３２と連通された排水孔（未図示）を具備して、交替装置３２の中の水はこの排水孔を通じて排水装置３３に進入することができる。排水装置３３は排水管３３１を具備し、この排水管３３１の末端は上昇通路９２に通じ、さらに昇降水箱２０のバルブを通じて、交替装置３２の中の交替された水を即時に昇降水箱２０に排水して、次の給排水を準備するようにする。排水装置も気孔を設ける。昇降装置を利用して昇降水箱２０をあげてから、ポンプと進水管３１１によって水箱の水を再び水室３１に輸送して、発電装置の循環的な発電を確保する。
【００９８】
箱体３６は二つの中空箱体であり、各箱体３６には複数の開閉可能な上方と下方進出水口３６４が設けている。下方の進出水口の位置と上方ドアの進水孔の位置は対応される。箱体３６の中空部分に水を添加したり排水したりすることを通じて、箱体３６の重力と浮力の関係を変化して、箱体３６が水室３１を連続的に沈んだり浮いたりして、運動エネルギが電気エネルギと転換されて、発電をする。
【００９９】
二つの箱体３６と対応に、水室３１の下方には2列の複滑車３７が設けられ、上方には２列の発電組１４′が設けられ、発電組１４′の数は複滑車３７の数と同一である。複滑車３７は滑車と歯付ベルトを備え、相応的に箱体３６にはまた若干の固定部材と若干の第二通孔が設けられ、第二通孔の位置は第一通孔の位置と対応する。滑車は水室３１の下方に固定され、歯付ベルトの上端は発電モーターの砥石車を巻き、下端は第一通孔と第二通孔を貫通して水室３１の下方に設けられた滑車を巻いて、長方形のような形状を構成する。箱体３６は固定部材によってこの長方形の一つの垂直辺に固定される。箱体３６の運動は複滑車３７２を通じて各発電組１４′の発電モーターの砥石車に伝動され、発電組が回転されて発電する。
【０１００】
具体的な動作原理は同一な出願人の他の特許PCT/CN2006/002239を参照すればよい。
【０１０１】
図１５は本発明の第十二実施例の発電装置を示す。この発電装置は昇降装置と発電モジュールを備えている。
【０１０２】
ここで、昇降装置は駆動モーター１、支持プラットフォーム３′、支持ブラケット４、第一磁性体５、第二磁性体６、大型ピストン２５、運動体１６、水圧緩衝ブラケット２６及び昇降通路９を備えている。
【０１０３】
円柱形支持プラットフォーム３′は地下に固定され、その中心には円形昇降通路９が垂直に設けられる。支持プラットフォーム３′の上方には円筒形の階段式のシリンダー２２が設けられ、蓋状の大型ピストン２５はシリンダー２２の小さい上部２２a内に設けられ、ローラ２３によってシリンダー２２の内壁と接触して、シリンダー２２の小さい上部２２aの中で上下に運動する。
【０１０４】
第一磁性体５は二つの形状が対称される自然磁石であり、駆動モーター１と連結され、昇降通路９の両側に対称的に設けられ、ローラ51によって支持プラットフォーム３′の上表面に接触する。駆動モーター１の駆動で、二つの第一磁性体５は支持プラットフォーム３′の上表面に沿って、円筒形の階段式のシリンダー２２の大きい下部２２ｂの中で、分合する水平直線往復運動をする。図１６（ａ）乃至図１６（ｊ）は第一磁性体５の五つの配布方式の分合状態を示す。第二磁性体６も形状が同一な二つの磁石であり、蓋状大型ピストン２５の辺の下方に固定され、それぞれ二つの第一磁性体５の運動軌跡に位置し、閉鎖状態の第一磁性体５の位置と対応されるとともに磁性が排斥される。
【０１０５】
水圧緩衝装置２６は水箱２６１、水箱ピストン２６２、水箱ピストン２６２に固定された緩衝ブラケット２６３、及び緩衝ブラケット２６３の先端に固定された緩衝板２６４を備えている。緩衝板２６４は昇降通路９の下部に進入し、排水管２６５は水箱２６１と外部環境を連結する。この外部環境は水貯蔵箱２６６である。円形運動体１６は昇降バー２４によって大型ピストン２５下端の中心に連結され、昇降通路９の内部に進入する。
【０１０６】
発電モジュールは金属コイル１０、磁石１１及びケーブル１２を備えている。金属コイル１０は運動体１６に設けられ、発電用の磁石１１は昇降通路９の管壁に設けられ、ケーブル１２は金属コイル１０に連結されて生産された電気エネルギーを外界に輸送する。
【０１０７】
以下、本実施例の発電装置の動作過程を説明する。
【０１０８】
開始状態の時、運動体１６は昇降通路９の下部に進入して緩衝板２６４と接触し、二つの第一磁性体５の相互的に分離された位置に位置する。駆動モーター１の駆動で第一磁性体５は閉鎖する方向に運動するようにする。運動している第一磁性体５がその上方に位置した第二磁性体６の下方に位置する時、二つの間の排斥力は第二磁性体６を押して上昇するようにし、さらに大型ピストン２５を上昇するようにし、もっとさらに運動体１６を上昇するようにする。即ち金属コイル１０は磁石11に対して運動をして電気エネルギを発生し、生産された電気エネルギはケーブル１２によって公共電気ネットに輸送される。運動している第一磁性体５が大型ピストン２５の第二磁性体６を離れる時、大型ピストン２５は重力の作用で設定した速度で落下されて運動体１６を押して、運動体１６は昇降通路９に対し下方に運動する。即ち、金属コイル１０は磁石11に対して運動して電気エネルギを生産する。生産された電気エネルギはケーブル１２によって公共電気ネットに輸送される。運動体が昇降通路の底部に衝突してこの発電装置が破損するのを防止するために、特に水圧緩衝装置２６を設ける。水圧緩衝装置２６の排水管２６５は水貯蔵箱２６６まで延伸される。下方に運動している運動体１６が緩衝板２６４と接触した後、緩衝板２６４を押してさらに水箱ピストン２６２を押して下方に運動する。この時、運動体が緩衝板２６２に対する圧力が排水管２６５の出口の水圧より大きいから、水箱ピストン２６２は水箱２６１の水を押して排出する。第一磁性体５が駆動されて第二磁性体６の下方まで運動される時、第二磁性体６は排斥力の作用で再び上昇されて、さらに運動体１６が上昇される時、緩衝板２６４に対する圧力が小さくなる。この圧力が排水管２６５の出口の圧力より小さくなる時、水は自然的に水箱２６１に進入される。このように循環的に発電する。
【０１０９】
図１７（ａ）乃至１７（ｃ）は本発明の第十三実施例の発電装置を示す。この発電装置の構造は第十二実施例と基本的に同じであるが、区別点は、支持プラットフォーム３′とシリンダー２２は立方体に設けられる。発電モジュール１４は発電モーター１４である。大型ピストン２５の下方は若干の昇降バー２３によって若干の発電モーター１４に連結されている。第一磁性体５が運動されて第二磁性体６と対応される位置を離れる時、磁力の支持を失った大型ピストン２５は重力の作用で落下する。即ち、昇降バー２３は発電モーター１４を回転して発電する。
【０１１０】
図１８は本発明の第十四実施例の発電装置を示す。この発電装置の構造は第十二実施例と基本的に同じであるが、区別点は、この装置は水の中に設けられ、大型ピストン２５は水盛りすることができる盤状である。盤状の大型ピストン２５及び乗せた水の重力位置エネルギを利用して発電する。したがって、この発電装置は密封された装置であり、大型ピストン２５は盤状であり、その上には一定量の水が具備されている。大型ピストン２５とシリンダー２２の内壁との間にローラではなく、密封リング或は密封液が設けられている（未図示）。
【０１１１】
本実施例の発電装置の動作原理は第十二実施例と同じであるが、区別点は、第二磁性体６が第一磁性体５の排斥力によって上昇される時、盤状の大型ピストン２５は一定量の海水を載せる。第二磁性体６が第一磁性体５の排斥力から離れる時、大型ピストン２５とそれに乗せた海水は重力の作用で降下されて、昇降バー２４によって大型ピストン２５と連結された運動体１６は昇降通路９に対し閉鎖運動をして、電気エネルギーを発生する。こんな構造によって、大型ピストン２５の材料を減少することができる。
【０１１２】
図１９（ａ）乃至図１９（ｃ）は本発明の第十五実施例の発電装置を示す。この発電装置の構造は第十二実施例と基本的に同じであるが、区別点は、支持プラットフォーム３′とシリンダー２２は立方体に設けられる。大型ピストン２５の下方に若干の垂直バー２４によって若干のモーター１４に連結され、発電モーター１４はモーター支持ブラケット１４１に固定される。第一磁性体５が運動されて第二磁性体６と対応された位置を離れる時、磁力の支持を失った大型ピストン２５は重力の作用で落下する。即ち、昇降バー２４によって発電モーター１４は回転されて発電する。
【０１１３】
図２０（ａ）と図２０（ｂ）のように、本発明の第十六実施例の海水逆浸透装置は海水（未図示）の中に設けられ、昇降装置、逆浸透装置、駆動モーター１、支持プラットフォーム３′、支持ブラケット４、第一磁性体５、第二磁性体６、大型ピストン２５、運動体１６、水圧緩衝ブラケット２６及び昇降通路９を備えている。
【０１１４】
駆動モーター１、支持プラットフォーム３′、第一磁性体５、大型ピストン２５の構造はそれぞれ第三実施例と同じである。
【０１１５】
円形支持プラットフォーム３′と大型ピストン２５は支持ブラケット４に固定される。支持プラットフォーム３′の中心には海水逆浸透装置が垂直に設けられる。海水逆浸透装置の構造は以下のようである。浸透室２７の中には上下に揺動可能な第一ピストン２７１が設けられ、第一ピストン２７１は昇降バー２７２によって大型ピストン２５を連結固定し、海水浸透室２７の側壁には逆止弁がついた浸透水排水口が設けられて浸透装置内の海水を即時に浸透室へ排出し、海水進入管２７３の一端は浸透室２７に連結されて他の端は海水に通じ、海水進入管２７３には逆止弁が設けられて海水の逆流を防止する。淡水貯蔵室２８と浸透室２７との間は逆浸透膜２９で仕切り、淡水貯蔵室２８の外側にはまた淡水排出室２８１が設けられ、淡水排出室２８１には第二ピストン２８２が設けられ、第二ピストン２８２の第二連結バー２８３は活動係止構造によって大型ピストン２５に連結され、淡水排出管２８４は淡水圧縮室２８１と淡水収集装置（未図示）とを連結し、濃水貯蔵室３０は濃水輸送管３０１によって浸透室２７の下部に連通され、濃水排出管３０２は濃水貯蔵室３０と濃水収集装置（未図示）とを連結する。濃水貯蔵室３０には、上下に運動できる第三ピストン３０３が設けられ、第三ピストン３０３の第三連結バー３０４は活動係止構造によって大型ピストン２５に連結される。
【０１１６】
図２０（ｃ）と図２０（ｄ）は本発明の第十六実施例の海水逆浸透装置を示す。本実施例の海水逆浸透装置の構造は上記の第五実施例と基本的に同一である。区別点は、海水進入管２７３の入り口は海水浸透室２７より高い地方に延伸されるため海水逆止弁を設置する必要がない。その外、大型ピストン２５とシリンダー２２との間の隙間から装置に進入した海水を即時に排出するために、図２０（ｃ）のようにバルブがついた排水口を設置してもいい。或は、図２０（ｃ）のように、支持プラットフォーム３′の一部を傾けて設けてもいい。
【０１１７】
以下、本実施例の海水逆浸透装置の動作過程を説明する。
【０１１８】
本実施例の発電装置は２００ｍ以内の海水に設けられる。開始状態の時、二つの第一磁性体５は相互的に分かれた位置に位置する。駆動モーター１の駆動で、第一磁性体５が閉鎖される方向に運動して、その上方に設けられた第二磁性体６の下方に位置すると、両者の間の排斥力は第一ピストン２７１を押して、第二ピストン２８２及び第三ピストン３０３は上昇される。この時、浸透室２７の中の水圧は減少されて、海水は海水進入管２７３によって浸透室２７に入る。浸透室２７の中の水量が最大になる時、即ち大型ピストン２５が最上方に位置する時、第一磁性体５を駆動して相互的にわかれる位置に移動させる。即ち第一磁性体５が第二磁性体６の下方を離れて、両者の間の排斥力は消えて、大型ピストン２５は大型ピストン２５及びその上に乗せた海水の重力の作用で設定された速度で落下されて、第一ピストン２７１、第二ピストン２８２及び第三ピストン３０３は垂直に落下されて、海水浸透室２７の海水を押す。圧力を受けた海水中の淡水は浸透膜２９を通じて淡水貯蔵室２８に進入してから淡水排出室２８１に進入し、第二ピストン２８２に押されて、淡水収集装置に入る。残った濃水は圧力の作用で濃水貯蔵室２９に入り、第三ピストン３０３に推されて濃水収集室に入る。淡水排出室２８１及びその中の第二ピストン２８２、濃水貯蔵室２９及びその中の第三ピストン３０３がその中に貯蔵した浸透後の水を排出する過程は、第一ピストン２７１に対して緩衝作用があって、第一ピストンの下方に与える圧力が大きすぎてそれと配合される手段及び逆浸透膜が破損されるのを防止する。同時に、第二ピストン２８２と第三ピストン３０３の連結バーにはまた安全保護装置が設けられ、第二ピストン２８２と第三ピストン３０３がそれに対応されるチャンバーの底部に対する強い衝突を防止する。このように循環しながら、大量の淡水と鉱物質が豊かな濃海水を得ることができる。
【０１１９】
図２１は本発明の第十七実施例の発電装置を示す。この装置は近海の海水に設置され、第十六実施例中の海水逆浸透装置及び発電手段を備えている。その中、この発電手段は、水室３１、交替装置３２、排水装置３３と無水通路３４を備えている。本実施例の発電手段は海水中に設置され、海水は運動体１６が浮いたり沈んだりする天然水室３１を構成し、材料を節約するために、水室３１の四壁を設置する必要がない。しかし、運動体１６が設定された路線で運動するのを制御する為には、ガイドスライドレール（guide slide rail）１６３及び運動体１６の一側に環状のスライダー（slider）１６４を設置する。排水装置３３は海水逆浸透装置と連接されている。同時、各部品が海水中に設置されているため、専門的な水中の固定装置３８を設置して各部品を固定する。水中固定装置３８は海底に設置された錨と、錨に固定されたスチールケーブルと、スチールケーブルによって固定される浮きこ、浮きこに設けられる浮き板支柱、浮き板支柱の先端に固定される浮き板を備えている。
【０１２０】
発電過程において、排水装置３３は海水進入管２７３によって交替装置３２の中の水を逆浸透装置の浸透室２７に入れて、この装置によって逆浸透した後、濃海水を淡水と転換する。濃海水と淡水は各相応する収集装置に収集される。このように海水逆浸透装置が循環的に排水装置３３から海水を受取るように保証して交替装置３２の循環交替を保証して、発電装置が循環的に発電できる。この発電装置の作業原理については同じ出願人の別の特許：PTC/CN2006/002239を参考にされたい。
【０１２１】
図２２は本発明の第十八実施例の発電装置を示す。この装置は近海の海水に設置され、第十六実施例中の海水逆浸透装置及び発電手段を備えている。その中、この発電手段には水室３１、交替装置３２、排水装置３３、箱体３６及び発電モジュールを備えている。発電モジュールは発電モーター１４′である。
【０１２２】
水室３１は立方体の形状を持って、一定量の水を盛っている。
【０１２３】
交替装置３２は水室３１の下部に装置され、上方ドアと気孔（未図示）を備え、上方ドアは水室３１と交替装置３２を仕切る。上方ドアの上部には進水孔及び第一通孔が設けている。海水浸透装置の海水進入管２７３は交替装置３２に連接されている。この海水進入管は海水逆浸透装置の浸透室２７に通じている。発電過程で、交替装置３２中の水を海水逆浸透装置に排出して、この装置によって逆浸透した後、濃海水と淡水に転換する。濃海水と淡水は各相応する収集装置に収集される。このように海水逆浸透装置が循環的に交替装置３２からの海水を受取るように保証し、交替装置３２の循環交替を保証して、発電装置が循環的に発電できるようにする。
【０１２４】
箱体３６は中空の箱体であり、多くの開閉できる上方と下方の進出水口が設置され、その中、下方の進出水口の位置と上方ドアの進水孔の位置と対応されている。箱体３６の中空部分に対して充水或は排水することによって、箱体３６の重力と浮力の関係を変更して、箱体３６が水室の中で浮いたり沈んだりする時に、運動エネルギを電気エネルギに転換して、発電する。
【０１２５】
水室３１の下方に発電機組１４が設置されて、上方には複滑車３７が設置され、発電機組１４の数と複滑車３７の数は同一である。複滑車３７は滑車と歯付ベルトを供えて、対応的に箱体３６には又若干の固定部材と若干の第二通孔が設け、第二通孔の位置と第一通孔の位置はそれぞれ対応されている。滑車は水室３１の下方に固定され、歯付ベルトの上端はモーターの砥石車を巻いて、下端は第一通孔と第二通孔を貫通して、水室３１の下方に設置された滑車を巻いて、近似な矩形を構成する。箱体３６は固定部材によって近似矩形の一つの垂直辺に固定される。箱体３６の運動は複滑車によって各発電機組１４の発電モーターの砥石車に伝送され、発電機組１４が回転されて発電をする。
【０１２６】
発電手段の各部品は海水中に設置されているため、専門的な水中固定装置３８を設置し、各部品を固定する。水中固定装置３８の構成は上記の実施例と同じである。
【０１２７】
図２３は本発明の第十九実施例の発電装置を示す。この装置は近海の海水に設置され、第十六実施例中の海水逆浸透装置及び発電手段を備えている。その中、この発電手段は、水室３１、交替装置３２と箱体３６及び発電モジュールを備えている。発電モジュールは金属コイル１０と磁石１１である。
【０１２８】
水室３１は立方体の形状を持って、一定量の水を盛っている。
【０１２９】
交替装置３２は水室３１の下側に設けられ、上方ドアと気孔（未表示）を備えている。上方ドアは水室３１と交替装置３２を仕切る。上方ドアの上部には進水孔が設けている。
【０１３０】
交替装置３１の中の水はこの進水孔から海水進入管２７３に排出できる。この海水進入管２７３の末端は海水逆浸透装置の浸透室２７に通じている。発電過程で、交替装置３２の中の水を海水逆浸透装置の浸透室２７に排出して、この装置で逆浸透した後、濃海水と淡水に転換され、濃海水と淡水は各相応する収集装置に収集される。このように海水逆浸透装置が循環的に交替装置３２からの海水を受取るように保証させ、交替装置３２の循環交替を保証して、発電装置が循環的に発電できるようにする。
【０１３１】
箱体３６は中空の箱体であり、その上には多くの開閉できる上方と下方の進出水口が設置され、その中、下方の進出水口の位置は上方ドアの進水孔の位置と対応されている。箱体３６の中空部分に対して充水或は排水して、箱体３６の重力と浮力の関係を変更して、箱体３６が水室の中で浮いたり沈んだりする時に運動エネルギを電気エネルギに転換して、発電をする。箱体３６と水室３１の内壁間の距離を制御して、安定な発電を維持するために、箱体３６にはローラが設けて、ローラは水室３１の内壁と接触し、水室３１の内壁面で運動する。
【０１３２】
発電モジュールの配置方式は以下のとおりである。水室３１内壁中にコイル１０を設置し、箱体３６の中に磁石１１を設置して、ケーブル１２とコイルを連接して、発生した電気エネルギを外界に輸送する。
【０１３３】
この発電装置の作業原理については同じ出願人の別の特許：PCT/CN2006/002239を参考にされたい。
【図１】
2010515409.tif 000003
【図２】
2010515409.tif 000004
【図３】
2010515409.tif 000005
【図４Ａ】
2010515409.tif 000006
【図４Ｂ】
2010515409.tif 000007
【図５Ａ】
2010515409.tif 000008
【図５Ｂ】
2010515409.tif 000009
【図５Ｃ】
2010515409.tif 000010
【図５Ｄ】
2010515409.tif 000011
【図６】
2010515409.tif 000012
【図７】
2010515409.tif 000013
【図８Ａ】
2010515409.tif 000014
【図８Ｂ】
2010515409.tif 000015
【図８Ｃ】
2010515409.tif 000016
【図８Ｄ】
2010515409.tif 000017
【図８Ｅ】
2010515409.tif 000018
【図９】
2010515409.tif 000019
【図１０】
2010515409.tif 000020
【図１１】
2010515409.tif 000021
【図１２】
2010515409.tif 000022
【図１３】
2010515409.tif 000023
【図１４】
2010515409.tif 000024
【図１５】
2010515409.tif 000025
【図１６】
2010515409.tif 000026
【図１７】
2010515409.tif 000027
【図１８】
2010515409.tif 000028
【図１９】
2010515409.tif 000029
【図２０】
2010515409.tif 000030
【図２１】
2010515409.tif 000031
【図２２】
2010515409.tif 000032
【図２３】
2010515409.tif 000033
【国際調査報告】
2010515409.tif 000034
2010515409.tif 000035
2010515409.tif 000036
2010515409.tif 000037
2010515409.tif 000038
2010515409.tif 000039
2010515409.tif 000040
2010515409.tif 000041
2010515409.tif 000042
2010515409.tif 000043